(57)【要約】      （修正有）【課題】不特定多数の人に対してＩＤ番号照合および生体認証を併用した出入管理を負担を掛けずに行える出入管理装置を提供する。【解決手段】顔認証機能とＩＤ番号照合機能とに基づいて外側管理区画としての建物１内をさらに区切る内側管理区画としての部屋３への出入りを管理する出入管理装置において、建物１に入る人に対して貸与される、Ｄ番号が書き込まれ顔画像データを書き込むことのできるＩＤカード４と、ＩＤカード４を読み取らせる人の顔を写すカメラを具備し、ＩＤカード４から読み取るＩＤ番号を予め記憶されているＩＤ番号と照合して建物１への入館を管理するとともに、カメラにより写された顔の特徴点からなる顔画像データをＩＤカード４に書き込む、建物１外に配置されるＩＤカードリーダライタ１３と、を備える。【選択図】図１
2007031997.tif 000002
【特許請求の範囲】
【請求項１】
顔認証機能とＩＤ番号照合機能とに基づいて外側管理区画内をさらに区切る内側管理区画への出入りを管理する出入管理装置において、
上記外側管理区画内に入る人に対して貸与されるＩＤ番号が書き込まれ、顔画像データを書き込むことができるＩＤカードと、
上記ＩＤカードを読み取らせる人の顔を写すカメラを具備し、上記ＩＤカードから読み取る上記ＩＤ番号を予め記憶されているＩＤ番号と照合して上記外側管理区画内への入館を管理するとともに上記カメラにより写された顔の特徴点からなる顔画像データを上記ＩＤカードに書き込む上記外側管理区画外に配置されるＩＤカードリーダライタと、
を備えることを特徴とする出入管理装置。
【請求項２】
上記カメラの前面に、写される人から上記カメラが視認することができないように、ミラーガラスが配設されていることを特徴とする請求項１に記載する出入管理装置。
【発明の詳細な説明】
【技術分野】
【０００１】
この発明は、２重に設定された管理区画の出入りを管理する出入管理装置に関する。
【背景技術】
【０００２】
出入りする人を管理するために、出入りに際して個人認証が行われている。個人認証の方法として、ＩＣカードや磁気カードを個人が所有し、そのカードにあらかじめ個人のＩＤ番号や情報を格納しておくことにより個人認証する方式と指紋や虹彩等の個人の身体的特徴を用いるバイオメトリクス認証方式とがある。しかし、この２つの方式は対称的な特徴を有する。すなわち、ＩＣカードなどによる方法は低費用で認識でき、認証時間が高速であるメリットがある反面、悪用される危険性があるとともに、所有物を携帯していないときは認証できないなどのデメリットを有している。一方、バイオメトリクス認証は悪用される危険性が低く、個人の身体特徴のため確実に認証可能であるメリットをもつ反面、認証装置が高価となり、認証時間に比較的長時間を要するデメリットを有する。
そこで、認証対象の身体上の特徴を用いて生体認証し、当該生体認証の結果が肯定的であるときに、その後、当該肯定的な生体認証の結果を前提とした簡易かつ迅速な認証を行える認証媒体を発行する過程と、前記認証媒体を用いて認証対象を認証し、当該認証媒体による認証の結果に応じて機器の使用を許可する過程とから成る生体認証併用複合認証方法が提案されている（例えば、特許文献１参照）。
【０００３】
【特許文献１】特開２００５−４４２５２号公報
【発明の開示】
【発明が解決しようとする課題】
【０００４】
しかし、生体認証を行うために前もって身体上の特徴からなるバイオメトリクス情報を出入管理装置に記憶されていなければならない。そして、バイオメトリクス情報の取得は、取得対象の個人を確認することのできる人と対象の個人とが一緒に登録センタなどに出向いて行われるので、取得対象の個人を確認することのできる人と一緒でないと取得ができないという問題がある。
特に、入館後に行われる生体認証のための不特定多数の来館者のバイオメトリクス情報を出入管理装置に取得して登録する作業では免許証など一般に個人を証明する書類を確認の上バイオメトリクス情報を取得するので、長い時間が掛かり利便性に欠けるという問題がある。
【０００５】
この発明の目的は、不特定多数の人に対してＩＤ番号照合および生体認証を併用した出入管理を負担を掛けずに行える出入管理装置を提供することである。
【課題を解決するための手段】
【０００６】
この発明に係わる出入管理装置は、顔認証機能とＩＤ番号照合機能とに基づいて外側管理区画内をさらに区切る内側管理区画への出入りを管理する出入管理装置において、上記外側管理区画内に入る人に対して貸与されるＩＤ番号が書き込まれ、顔画像データを書き込むことができるＩＤカードと、上記ＩＤカードを読み取らせる人の顔を写すカメラを具備し、上記ＩＤカードから読み取る上記ＩＤ番号を予め記憶されているＩＤ番号と照合して上記外側管理区画内への入館を管理するとともに上記カメラにより写された顔の特徴点からなる顔画像データを上記ＩＤカードに書き込む上記外側管理区画外に配置されるＩＤカードリーダライタと、を備える。
【発明の効果】
【０００７】
この発明に係わる出入管理装置の効果は、人に入館に先立って貸与されるＩＤ番号が書き込まれているＩＤカードに入館口を通行するとき顔画像データが書き込まれ、外側管理区画内の内側管理区画への出入りではＩＤ番号の照合と合わせて顔認証で個人認証が行われるので、顔認証のために別途顔画像データを取得する必要がなくなり、不特定多数の人に対しても容易にＩＤ番号認証と顔認証とを適用することができる。
【発明を実施するための最良の形態】
【０００８】
図１は、この発明の実施の形態に係わる出入管理装置の配置図である。図２は、実施の形態に係わるＩＤカードリーダライタの機能ブロック図である。図３は、実施の形態に係わるＩＤカードリーダライタの側断面図である。図４は、実施の形態に係わる出入口用カードリーダの機能ブロック図である。図５は、人が建物内に入館するときの手順を示すフローチャートである。図６は、人が部屋に入室するときの手順を示すフローチャートである。
この発明の実施の形態に係わる出入管理装置１１は、図１に示すような外側の管理区画としての建物１に配置される。建物１は、内部にＩＤ番号照合と顔認証とを合わせた個人認証に基づいて出入口２からの出入りが管理される内側の管理区画としての部屋３、不特定多数の人が予め貸与されたＩＤカード４に書き込まれているＩＤ番号を予め記憶されているＩＤ番号と照合するＩＤ番号照合に基づいて入館が管理される入館口５が設けられている。すなわち、入館口５では、ＩＤ番号照合による個人認証が行われ、出入口２では、ＩＤ番号照合および顔認証による個人認証が行われる。
出入口２に出入口扉７が配置され、出入口扉７は電子錠８により旋解錠される。また、入館口５に入館口扉９が配置され、入館口扉９は電子錠１０により旋解錠される。
また、入館口５の外側の受付６では、不特定多数の人にＩＤカード４を貸与する。
【０００９】
この発明において顔認証とは、人の顔の画像データから特徴点(眼の中心、唇の端など)の位置や点同士の距離などの特徴を抽出し、あらかじめ保存されたデータと照合することで個人を特定することである。また、ＩＤ番号照合とは、入力されたＩＤ番号を予め保存されたＩＤ番号と照合することで個人を特定することである。
【００１０】
この発明の実施の形態に係わる出入管理装置１１は、受付６に配置され、不特定多数の人に対してＩＤ番号を設定し、そのＩＤ番号をＩＤカード４に記憶するＩＤカード発行機１２、入館口５の近傍に配置され、ＩＤカード４からＩＤ番号を読み取るとともにＩＤカード４に顔画像データを書き込むＩＤカードリーダライタ１３、出入口２の外側の近傍に配置され、ＩＤカード４からＩＤ番号および顔画像データを読み取る出入口用カードリーダ１５を備える。
【００１１】
ＩＤカード発行機１２、ＩＤカードリーダライタ１３、出入口用カードリーダ１５は、通信線１８を介して互いに接続されている。
また、電子錠８はＩＤカードリーダライタ１３に、電子錠１０は出入口用カードリーダ１５に制御線１９を介して接続されている。
【００１２】
ＩＤカード発行機１２は、受付６の人により操作され、貸与を希望する人の氏名を入力されるとＩＤ番号を発生し、ＩＤカード４にそのＩＤ番号を書き込み、また、そのＩＤ番号をＩＤカードリーダライタ１３および出入口用カードリーダ１５に送信する。
ＩＤカードリーダライタ１３は、図２に示すように、ＩＤカード発行機１２から送られてくるＩＤ番号を記憶する記憶部２１、ＩＤカード４からＩＤ番号を読み取るとともにＩＤカード４に顔画像データを書き込むリーダライタ部２２、人が正面に立っているとき、身長が違っていても顔が含まれるようなアングルで撮影し、撮影した顔の特徴を抽出して顔画像データを作成するカメラ部２３、読み取るＩＤ番号が記憶部２１に記憶されているか否かを判断し、判断結果に基づいて電子錠８を旋解錠する認証部２４、ＩＤカード発行機１２および電子錠８と情報の送受信を行うインタフェース部２５を有する。
カメラ部２３のカメラ２６は、図３に示すように、その前にミラーガラス２７が配置され、写される人はカメラ２６を視認することはできない。
【００１３】
出入口用カードリーダ１５は、図４に示すように、ＩＤカード発行機１２から送られてくるＩＤ番号を記憶する記憶部３１、ＩＤカード４からＩＤ番号と顔画像データを読み取るリーダ部３２、人が正面に立っているとき、身長が違っていても顔が含まれるようなアングルで撮影し、撮影した顔の特徴を抽出して顔画像データを作成するカメラ部３３、
リーダ部３２で読み取るＩＤ番号が記憶部３１に記憶されているときカメラ部３３から得られた顔画像データをＩＤカードから読み取る顔画像データと照合し、照合結果に基づいて電子錠１０を旋解錠する認証部３４、ＩＤカード発行機１２および電子錠１０と情報の送受信を行うインタフェース部３５を有する。
【００１４】
次に、不特定多数の人が入館するときの手順について図５を参照して説明する。
Ｓ１０１で、不特定多数のＡ氏は、予め出入管理装置１１にＡ氏の情報が登録されていないので、受付６に寄って受付なければならない。そこで、受付６の人は、Ａ氏から氏名、所属している団体、行先などを聞き取り、ＩＤカード発行機１２に聞き取った情報を入力し、ＩＤカード４を発行し、Ａ氏に貸与する。
Ｓ１０２で、Ａ氏はＩＤカードリーダライタ１３にＩＤカード４を挿入する。
Ｓ１０３で、リーダライタ部２２はＩＤカード４からＩＤ番号を読み取り、認証部２４は読み取ったＩＤ番号が記憶部２１に記憶されているか否かを判断し、記憶されているときはＳ１０４へ進み、記憶されていないときはＳ１０７へ進む。
Ｓ１０４で、カメラ部２３はＡ氏の顔を写して顔画像データを作成して、その顔画像データをリーダライタ部２２に送る。
Ｓ１０５で、リーダライタ部２２は、顔画像データを挿入されているＩＤカード４に書き込む。
Ｓ１０６で、認証部２４は電子錠８に解錠指令を発する。
Ｓ１０７で、電子錠８は解錠指令を受信すると解錠し、リーダライタ部２２はＩＤカード４を戻し、Ａ氏は入館口扉９を開けることができるので建物１内に入館できる。
Ｓ１０７で、認証部２４は図示しないＮＧ灯を点灯し、リーダライタ部２２はＩＤカード４を戻す。
【００１５】
次に、入館した不特定多数の人が部屋３に入るときの手順について図６を参照して説明する。
Ｓ２０１で、Ａ氏は出入口用カードリーダ１５にＩＤカード４を挿入する。
Ｓ２０２で、リーダ部３２は、ＩＤカード４からＩＤ番号を読み取る。
Ｓ２０３で、認証部３４は、読み取られたＩＤ番号が記憶部３１に記憶されているか否かを判断し、記憶されているときはＳ２０４へ進み、記憶されていないときはＳ２０９へ進む。
Ｓ２０４で、リーダ部３２は、ＩＤカード４から顔画像データを読み取る。
Ｓ２０５で、カメラ部３３は、Ａ氏の顔を写して顔の特徴点を抽出して顔画像データを生成する。
Ｓ２０６で、認証部３４は、ＩＤカード４から読み取られた顔画像データとカメラ部３３から得た顔画像データとを照合し、一致したらＳ２０７へ進み、不一致だったらＳ２０９へ進む。
Ｓ２０７で、認証部３４は、電子錠１０に解除指令を発し、リーダ部３２はＩＤカード４を戻す。
Ｓ２０８で、電子錠１０は解錠指令を受信すると解錠し、Ａ氏は出入口扉７を開けることができるので入室できる。
Ｓ２０９で、認証部３４は、図示しないＮＧ灯を点灯し、リーダ部３２はＩＤカード４を戻す。
【００１６】
このような出入管理装置１１は、不特定多数の人に入館に先立って貸与するＩＤ番号が記憶されているＩＤカードに入館口５を通行するとき顔が写されて画像データが生成されて書き込まれ、建物１内の部屋３への出入りではＩＤ番号の照合と合わせて顔認証で個人認証が行われるので、顔認証のために別途顔画像データを取得する必要がなくなり、不特定多数の人に対しても容易にＩＤ番号認証と顔認証とを適用することができる。
【００１７】
また、入館口５での顔画像データの取得は写される人は認識していないので、ＩＤカード４に顔画像データが記憶されてから別人がそのＩＤカード４を使用して部屋３に入室しようとしても警戒していないので見破ることが容易である。
また、逆に顔が写されていることが知れていないので、入館者に抵抗感を与えない。
【図面の簡単な説明】
【００１８】
【図１】この発明の実施の形態に係わる出入管理装置の配置図である。
【図２】実施の形態に係わるＩＤカードリーダライタの機能ブロック図である。
【図３】実施の形態に係わるＩＤカードリーダライタの側断面図である。
【図４】実施の形態に係わる出入口用カードリーダの機能ブロック図である。
【図５】人が建物内に入館するときの手順を示すフローチャートである。
【図６】人が部屋に入室するときの手順を示すフローチャートである。
【符号の説明】
【００１９】
１  建物、２  出入口、３  部屋、４  ＩＤカード、５  入館口、６  受付、７  出入口扉、８、１０  電子錠、９  入館口扉、１１  出入管理装置、１２  カード発行機、１３  ＩＤカードリーダライタ、１５  出入口用カードリーダ、１８  通信線、１９  制御線、２１、３１  記憶部、２２  リーダライタ部、２３、３３  カメラ部、２４、３４  認証部、２５、３５  インタフェース部、２６  カメラ、２７  ミラーガラス、３２  リーダ部。
【図１】
2007031997.tif 000003
【図２】
2007031997.tif 000004
【図３】
2007031997.tif 000005
【図４】
2007031997.tif 000006
【図５】
2007031997.tif 000007
【図６】
2007031997.tif 000008